(57)【特許請求の範囲】
【請求項１】
ワイヤレス通信ネットワークにおいてユーザ機器（ＵＥ）の電力を管理するための方法であって、
外部電源からの内部電源の切断を決定することと、
前記ＵＥの前記内部電源の現在の充電の状態を決定することと、
前記切断を決定すること及び前記現在の充電の状態を決定することに応答して、前記ＵＥのモデムの１つ以上のモデム制御パラメータを調整することと
を備え、前記調整することは、前記モデムによって使用するために利用可能な前記ＵＥの受信チェーンの数の低減を含み、１つ以上のモデム制御パラメータを前記調整することは、
前記ＵＥの実際のデータ量の値に対する低減されたデータ量の値を示すバッファステータス報告（ＢＳＲ）パラメータを提供することを更に備える、方法。
【請求項２】
前記現在の充電の状態を前記決定することは、前記決定することに応答して、複数の充電状態レベルから前記内部電源の充電状態レベルを識別することを備え、
前記調整することは、前記識別された充電状態レベルに基づいて、前記モデムの省電力モードを選択することを備える、請求項１に記載の方法。
【請求項３】
前記ＵＥの利用可能な受信チェーンの前記数の前記低減は、
前記ＵＥの最高ランクよりも低い前記ＵＥのランクを基地局へ通知することを備える、請求項１に記載の方法。
【請求項４】
１つ以上のモデム制御パラメータを前記調整することは、
前記ＵＥによって実施される近隣探索要求の度合いを低減することを更に備える、請求項１に記載の方法。
【請求項５】
基準信号受信電力（ＲＳＲＰ）を決定することを更に備え、ここにおいて、近隣探索要求の前記度合いは前記ＲＳＲＰに基づく、請求項４に記載の方法。
【請求項６】
前記近隣探索要求は、周波数間又は無線アクセス技術間の測定の１つ以上を備える、請求項４に記載の方法。
【請求項７】
１つ以上のモデム制御パラメータを前記調整することは、
アップリンクチャネルの最大送信電力レベルを調整することを更に備える、請求項１に記載の方法。
【請求項８】
１つ以上のモデム制御パラメータを前記調整することは、
前記ＵＥによって実施される１つ以上の周波数スキャン要求の間の時間遅延を増加させることを更に備える、請求項１に記載の方法。
【請求項９】
前記時間遅延は、連続する不成功の周波数スキャン要求の数に基づいて増加される、請求項８に記載の方法。
【請求項１０】
請求項１の方法を実施するための手段を備える、ワイヤレス通信ネットワークにおいてユーザ機器（ＵＥ）の電力を管理するための装置。
【請求項１１】
請求項１の方法を実施するように、プロセッサによって実行可能な命令を記憶するコンピュータ可読記憶媒体。
【発明の詳細な説明】
【技術分野】
【０００１】
関連出願の相互参照
[0001]本特許出願は、それぞれ本出願の譲受人に譲渡された、２０１４年３月１７日に出願された「Ｍｅｔｈｏｄｓ  ａｎｄ  Ａｐｐａｒａｔｕｓ  ｆｏｒ  Ｒｅｄｕｃｉｎｇ  Ｍｏｄｅｍ  Ｐｏｗｅｒ  Ｂａｓｅｄ  ｏｎ  ａ  Ｐｒｅｓｅｎｔ  Ｓｔａｔｅ  ｏｆ  Ｃｈａｒｇｅ  ｏｆ  Ｂａｔｔｅｒｙ」と題する、Ｒａｍｋｕｍａｒらによる米国特許出願第１４／２１６，３９９号、及び２０１３年１１月１２日に出願された「Ｍｅｔｈｏｄｓ  ａｎｄ  Ａｐｐａｒａｔｕｓ  ｆｏｒ  Ｒｅｄｕｃｉｎｇ  Ｍｏｄｅｍ  Ｐｏｗｅｒ  Ｂａｓｅｄ  ｏｎ  ａ  Ｐｒｅｓｅｎｔ  Ｓｔａｔｅ  ｏｆ  Ｃｈａｒｇｅ  ｏｆ  Ｂａｔｔｅｒｙ」と題する、Ｒａｍｋｕｍａｒらによる米国仮特許出願第６１／９０３，２９４号の優先権を主張する。
【０００２】
[0002]本開示の幾つかの態様は、一般には、ワイヤレス通信システムにおいてユーザ機器（ＵＥ）のバッテリー電力を低減するための方法及び装置に関し、より詳細には、ＵＥバッテリーの充電の状態に基づいてＵＥのモデムの１つ又は複数のモデム制御パラメータを調整するための方法及び装置に関する。
【背景技術】
【０００３】
[0003]ワイヤレス通信ネットワークは、音声、ビデオ、パケットデータ、メッセージング、ブロードキャストなどの様々なタイプの通信コンテンツを提供するために広く展開されている。これらのネットワークは、利用可能なネットワークリソースを共有することによって複数のユーザとの通信をサポートすることが可能な多元接続ネットワークであり得る。ワイヤレス通信ネットワークでは、様々な幾つかのＵＥはしばしば携帯可能であり、機器に電力を供給するのに１つ又は複数のバッテリーに依存している。これらのＵＥは一般に、１つ又は複数の無線アクセス技術を使用して通信することが可能な１つ又は複数の送信機／受信機を有している。送信機／受信機ハードウェアには、ＵＥから送信される無線送信及びＵＥで受信される無線送信を制御するモデムが含まれる。
【０００４】
[0004]ＵＥは一般に、機器の便利な可搬性を可能にするために、１つ又は複数のバッテリーなどの内部電源を使用して操作される。周知のように、そのような場合の電源は、電源が有する残留蓄積電荷が低くなるか又はなくなったとき、交換又は再充電を必要とし得る。電源の充電が完全に枯渇した場合、電源が交換されるか、電源が再充電されるか、又はＵＥがライン電力にプラグ接続されるまで、ＵＥはいかなる通信機能を実施するためにも操作され得ない。ＵＥのそのような操作不可能性は、データメッセージの送信／受信、及び／又はボイスコールの送信／受信など、１つ又は複数の、場合によっては重要な作業を実施するためにＵＥに依存し得るユーザに、悪影響を及ぼし得る。従って、ＵＥの電源寿命を延長するために、実際の電源の充電状態に基づいてＵＥ動作を調整することが有益となり得る。
【発明の概要】
【０００５】
[0005]説明する特徴は、一般に、ＵＥのバッテリー電力を管理するための、１つ又は複数の改善されたシステム、方法、及び／又は装置に関する。幾つかの例によれば、電力管理回路が、ＵＥのバッテリーの充電の状態を調べる（probe）ように構成され得る。ＵＥモデムは、電力管理回路にポーリングし、バッテリーの充電の状態を決定し得る。バッテリーの現在の充電の状態を周期的に調べるか又は別様に決定することにより、モデムは、バッテリーが２つ以上の充電状態レベルのうちの１つにあることを決定し得、また、決定することに応答して、充電状態レベルに基づいてモデムの省電力モードを呼び出し得る。幾つかの例によれば、モデムは１つ又は複数の省電力モードを呼び出し得、その省電力モードは例えば、ＵＥ内の利用可能な受信チェーンの数を低減すること、ＵＥによって実施される１つ又は複数の周波数スキャン要求の間の時間遅延を開始すること、ＵＥによって実施される近隣探索要求の度合いを低減すること、ＵＥの実際のバッファデータ量に対する低減されたバッファデータ量を示すバッファステータスレポート（ＢＳＲ）パラメータを提供すること、及び／又はアップリンクチャネルの最大送信電力レベルを調整することを含み得る。
【０００６】
[0006]本開示の態様によれば、ワイヤレス通信ネットワークにおいてユーザ機器（ＵＥ）の電力を管理するための方法が提供される。この方法は一般に、ＵＥの内部電源の現在の充電の状態を決定することと、決定することに応答して、ＵＥのモデムの１つ又は複数のモデム制御パラメータを調整することとを含み、調整することは、モデムによる使用のために利用可能なＵＥの受信チェーンの数の低減を含む。幾つかの例では、決定することは、決定することに応答して複数の充電状態レベルから内部電源の充電状態レベルを識別することを含み得、調整することは、識別された充電状態レベルに基づいてモデムの省電力モードを選択することを含み得る。幾つかの例では、ＵＥの利用可能な受信チェーンの数の低減は、ＵＥの最高ランクよりも低いＵＥのランクを通知すること(advertising)を含み得る。
【０００７】
[0007]幾つかの例では、１つ又は複数のモデム制御パラメータを調整することはまた、例えば、基準信号受信電力（ＲＳＲＰ）を決定することなどによって、ＵＥによって実施される近隣探索要求の度合いを低減することを含み得、ここで近隣探索要求の度合いはＲＳＲＰに基づく。幾つかの例では、近隣探索要求は、周波数間又は無線アクセス技術間の測定の１つ又は複数を含み得る。幾つかの例では、１つ又は複数のモデム制御パラメータを調整することは更に、ＵＥの実際のデータ量の値に対する低減されたデータ量の値を示すバッファステータス報告（ＢＳＲ）パラメータを提供することを含み得る。追加又は代替として、１つ又は複数のモデム制御パラメータを調整することは、アップリンクチャネルの最大送信電力レベルを調整すること、及び／又はＵＥによって実施される１つ又は複数の周波数スキャン要求の間の時間遅延を増加させることを含み得る。幾つかの例では、時間遅延は、連続する不成功の周波数スキャン要求の数に基づいて増加され得る。
【０００８】
[0008]本開示の別の態様によれば、ワイヤレス通信ネットワークにおいてユーザ機器（ＵＥ）の電力を管理するための装置が提供される。この装置は一般に、ＵＥの内部電源の現在の充電の状態を決定し、決定することに応答して、モデムによる使用のために利用可能なＵＥの受信チェーンの数を低減するために、ＵＥのモデムの１つ又は複数のモデム制御パラメータを調整するように構成された少なくとも１つのプロセッサを含む。幾つかの例では、少なくとも１つのプロセッサは、決定することに応答して複数の充電状態レベルから内部電源の充電状態レベルを識別し、その識別された充電状態レベルに基づいてモデムの省電力モードを選択するように更に構成され得る。幾つかの例では、少なくとも１つのプロセッサは、ＵＥの最高ランクよりも低いＵＥのランクを通知するように更に構成され得る。
【０００９】
[0009]幾つかの例では、少なくとも１つのプロセッサは、ＵＥによって実施される近隣探索要求の度合いを低減するように更に構成され得る。少なくとも１つのプロセッサは、例えば、基準信号受信電力（ＲＳＲＰ）を決定するように構成され得、近隣探索要求の度合いはそのＲＳＲＰに基づき得る。幾つかの例では、近隣探索要求は、周波数間又は無線アクセス技術間の測定の１つ又は複数を含み得る。追加又は代替として、少なくとも１つのプロセッサは、ＵＥの実際のデータ量の値に対する低減されたデータ量の値を示すバッファステータス報告（ＢＳＲ）パラメータを提供するように更に構成され得る。幾つかの例では、少なくとも１つのプロセッサは、アップリンクチャネルの最大送信電力レベルを調整すること、及び／又はＵＥによって実施される１つ又は複数の周波数スキャン要求の間の時間遅延を増加させるように更に構成され得る。時間遅延は、例えば、連続する不成功の周波数スキャン要求の数に基づいて増加され得る。
【００１０】
[0010]別の態様によれば、ワイヤレス通信ネットワークにおいてユーザ機器（ＵＥ）の電力を管理するための装置が提供される。この装置は一般に、ＵＥの内部電源の現在の充電の状態を決定するための手段と、決定することに応答して、モデムによる使用のために利用可能なＵＥの受信チェーンの数を低減するために、ＵＥのモデムの１つ又は複数のモデム制御パラメータを調整するための手段とを含む。幾つかの例では、決定するための手段は、決定することに応答して複数の充電状態レベルから内部電源の充電状態レベルを識別するための手段を含み得、調整するための手段は、識別された充電状態レベルに基づいてモデムの省電力モードを選択するための手段を含み得る。
【００１１】
[0011]幾つかの例では、調整するための手段は、ＵＥの最高ランクよりも低いＵＥのランクを通知するための手段、及び／又はＵＥによって実施される近隣探索要求の度合いを低減するための手段を含み得る。追加又は代替として、１つ又は複数のモデム制御パラメータを調整するための手段は、ＵＥの実際のデータ量の値に対する低減されたデータ量の値を示すバッファステータス報告（ＢＳＲ）パラメータを提供するための手段を含み得、及び／又は、１つ又は複数のモデム制御パラメータを調整するための手段は、ＵＥによって実施される１つ又は複数の周波数スキャン要求の間の時間遅延を増加させるための手段を含み得る。
【００１２】
[0012]別の態様では、ワイヤレス通信ネットワークにおいてユーザ機器（ＵＥ）の電力を管理するためのコンピュータプログラム製品が提供される。本コンピュータプログラム製品は、概して、プロセッサによって実行可能な命令を記憶する非一時的コンピュータ可読媒体を含む。それらの命令は、ＵＥの内部電源の現在の充電の状態を決定し、決定することに応答して、モデムによる使用のために利用可能なＵＥの受信チェーンの数を低減するために、ＵＥのモデムの１つ又は複数のモデム制御パラメータを調整するように、プロセッサによって実行可能となり得る。幾つかの例では、それらの命令は、決定することに応答して複数の充電状態レベルから内部電源の充電状態レベルを識別し、その識別された充電状態レベルに基づいてモデムの省電力モードを選択するように、プロセッサによって更に実行可能となり得る。
【００１３】
[0013]幾つかの例では、ＵＥの利用可能な受信チェーンの数の低減は、ＵＥの最高ランクよりも低いＵＥのランクを通知することを含み得る。幾つかの例では、それらの命令は、ＵＥによって実施される近隣探索要求の度合いを低減するように、プロセッサによって更に実行可能となり得る。追加又は代替として、それらの命令は、ＵＥの実際のデータ量の値に対する低減されたデータ量の値を示すバッファステータス報告（ＢＳＲ）パラメータを提供するようにプロセッサによって更に実行可能となり得、及び／又は、それらの命令は、ＵＥによって実施される１つ又は複数の周波数スキャン要求の間の時間遅延を増加させるように、プロセッサによって更に実行可能となり得る。
【００１４】
[0014]記載される方法及び装置の適用性の更なる範囲は、以下の発明を実施するための形態、特許請求の範囲、及び図面から明らかになろう。発明を実施するための形態の趣旨及び範囲内の様々な変更及び改変が当業者に明らかになるので、発明を実施するための形態及び特定の例は、例示として与えられるにすぎない。
【００１５】
[0015]本発明の性質と利点とについての更なる理解は、以下の図面を参照することによって達成され得る。添付の図において、同様の構成要素又は特徴は同じ参照ラベルを有することができる。更に、同じタイプの種々の構成要素は、参照ラベルの後に、ダッシュと、それらの同様の構成要素同士を区別する第２のラベルとを続けることによって区別され得る。第１の参照ラベルのみが本明細書において使用される場合、説明は、第２の参照ラベルにかかわらず、同じ第１の参照ラベルを有する同様の構成要素のうちのいずれにも適用可能である。
【図面の簡単な説明】
【００１６】
【図１】[0016]本開示の様々な態様による、ワイヤレス通信システムの一例を示す図。
【図２】[0017]本開示の様々な態様による、ユーザ機器の一例を示すブロック図。
【図３】[0018]本開示の様々な態様による、モデムモジュールの一例を示すブロック図。
【図４】[0019]本開示の様々な態様による、モデムモジュールの別の例を示すブロック図。
【図５】[0020]本開示の様々な態様による、基地局とモバイル機器とを含むワイヤレス通信システムの一例を示すブロック図。
【図６】[0021]本開示の様々な態様による、ＵＥの電力を管理するための方法のフローチャート。
【図７】[0022]本開示の様々な態様による、ＵＥの電力を管理するための別の方法のフローチャート。
【図８】[0023]本開示の様々な態様による、ＵＥの電力を管理するための別の方法のフローチャート。
【図９】[0024]本開示の様々な態様による、ＵＥの電力を管理するための別の方法のフローチャート。
【図１０】[0025]本開示の様々な態様による、ＵＥの電力を管理するための別の方法のフローチャート。
【図１１】[0026]本開示の様々な態様による、ＵＥの電力を管理するための別の方法のフローチャート。
【発明を実施するための形態】
【００１７】
[0027]説明する態様は、電源の現在の充電の状態に基づいてＵＥの電源を管理するためのシステム及び方法を対象とする。幾つかの例によれば、電力管理回路が、ＵＥのバッテリーの充電の状態を調べるように構成され得る。ＵＥモデムは、電力管理回路にポーリングするか、又はさもなければバッテリーの充電の状態を決定し得る。バッテリーの現在の充電の状態を周期的に調べることにより、モデムは、バッテリーが２つ以上の充電状態レベルのうちの１つにあることを決定し得、また、決定することに応答して、充電状態レベルに基づいてモデムの省電力モードを呼び出し得る。
【００１８】
[0028]幾つかの例によれば、特定のモデム機能は、ＵＥのバッテリーなどの電源の有効寿命を延長するのに役立つように、充電状態に基づいて実施され得る。例えば、受信回路は、不連続受信（ＤＲＸ）動作の間に電源遮断され得、それによって、そのような受信回路が常に電源投入されている場合に対して、電力が節約され得る。加えて、送信及び／又は受信回路は、例えば送信キュー内におけるバッファリングされたデータの存在など、１つ又は複数の基準に基づいて、アイドルモードに置かれ得るか、又はオンライン／オフラインに置かれ得る。
【００１９】
[0029]幾つかの例では、種々の省電力モードの組合せの１つ又は複数が、ＵＥのバッテリー充電状態に基づいて呼び出され得る。モデムの省電力モードは、ＵＥ内の利用可能な受信チェーンの数を低減すること、ＵＥによって実施される１つ又は複数の周波数スキャン要求の間の時間遅延を開始すること、ＵＥによって実施される近隣探索要求の度合いを低減すること、ＵＥの実際のバッファデータ量に対する低減されたバッファデータ量を示すバッファステータス報告（ＢＳＲ）パラメータを提供すること、及び／又はアップリンクチャネルの最大送信電力レベルを調整することを含み得る。
【００２０】
[0030]本明細書で説明される技法は、セルラーワイヤレスシステム、ピアツーピアワイヤレス通信、ワイヤレスローカルアクセスネットワーク（ＷＬＡＮ）、アドホックネットワーク、衛星通信システム、及び他のシステムなどの様々なワイヤレス通信システムのために使用され得る。「システム」及び「ネットワーク」という用語は、しばしば互換的に使用される。これらのワイヤレス通信システムは、符号分割多重接続（ＣＤＭＡ）、時分割多重接続（ＴＤＭＡ）、周波数分割多重接続（ＦＤＭＡ）、直交ＦＤＭＡ（ＯＦＤＭＡ）、シングルキャリアＦＤＭＡ（ＳＣ−ＦＤＭＡ）、及び／又は他の無線技術など、様々な無線通信技術を採用し得る。概して、ワイヤレス通信は、無線アクセス技術（ＲＡＴ）と呼ばれる１つ又は複数の無線通信技術の規格化された実装形態に従って行われる。無線アクセス技術を実装するワイヤレス通信システム又はネットワークは、無線アクセスネットワーク（ＲＡＮ）と呼ばれ得る。
【００２１】
[0031]ＣＤＭＡ技法を利用する無線アクセス技術の例は、ＣＤＭＡ２０００、Ｕｎｉｖｅｒｓａｌ  Ｔｅｒｒｅｓｔｒｉａｌ  Ｒａｄｉｏ  Ａｃｃｅｓｓ（ＵＴＲＡ）などを含む。ＣＤＭＡ２０００は、ＩＳ−２０００、ＩＳ−９５、ＩＳ−８５６規格を包含する。ＩＳ−２０００  Ｒｅｌｅａｓｅ  ０及びＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと呼ばれる。ＵＴＲＡは、Ｗｉｄｅｂａｎｄ  ＣＤＭＡ（ＷＣＤＭＡ（登録商標））とＣＤＭＡの他の変形形態とを含む。ＴＤＭＡシステムの例としては、モバイル通信用グローバルシステム（ＧＳＭ（登録商標）：Global System for Mobile Communications）の様々な実装形態がある。ＯＦＤＭ及び／又はＯＦＤＭＡを採用する無線アクセス技術の例としては、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどがある。ＵＴＲＡ及びＥ−ＵＴＲＡは、ユニバーサルモバイル電気通信システム（ＵＭＴＳ）の一部である。３ＧＰＰ（登録商標）ロングタームエボリューション（ＬＴＥ（登録商標）：Long Term Evolution）及びＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ及びＧＳＭは、「第３世代パートナーシッププロジェクト」（３ＧＰＰ）と称する団体の文書に記載されている。ＣＤＭＡ２０００及びＵＭＢは、「第３世代パートナーシッププロジェクト２」（３ＧＰＰ２）と称する団体の文書に記載されている。本明細書で説明される技法は、上で言及されたシステム及び無線技術、並びに他のシステム及び無線技術に使用され得る。
【００２２】
[0032]従って、以下の説明は、例を与えるものであり、特許請求の範囲に記載された範囲、適用可能性、又は構成を限定するものではない。本開示の趣旨及び範囲から逸脱することなく、論じられる要素の機能及び構成において変更が行われ得る。様々な実施形態は、適宜に様々な手順又は構成要素を省略、置換、又は追加し得る。例えば、説明される方法は、説明される順序と異なる順序で実施されてよく、様々なステップが追加され、省略され、又は組み合わせられてよい。また、幾つかの実施形態に関して説明される特徴は、他の実施形態において組み合わせられ得る。
【００２３】
[0033]最初に図１を参照すると、図は、ワイヤレス通信システム１００の一例を示している。システム１００は、基地局（又はセル）１０５と、通信機器１１５と、コアネットワーク１３０とを含む。基地局１０５は、様々な例ではコアネットワーク１３０又は基地局１０５の一部であり得る、基地局コントローラ（図示せず）の制御下で通信機器１１５と通信し得る。基地局１０５は、バックホールリンク１３２を通じてコアネットワーク１３０と制御情報及び／又はユーザデータを通信し得る。基地局１０５は、有線又はワイヤレス通信リンクであり得るバックホールリンク１３４を介して、直接的又は間接的のいずれかで、互いに通信し得る。システム１００は、複数のキャリア（異なる周波数の波形信号）上の動作をサポートし得る。マルチキャリア送信機は、複数のキャリア上で同時に被変調信号を送信することができる。例えば、各通信リンク１２５は、上記で説明した様々な無線技術に従って変調されたマルチキャリア信号であり得る。各被変調信号は、異なるキャリア上で送られ得、制御情報（例えば、基準信号、制御チャネルなど）、オーバーヘッド情報、データなどを搬送し得る。
【００２４】
[0034]基地局１０５は、１つ又は複数の基地局アンテナを介して機器１１５とワイヤレス通信し得る。基地局１０５サイトの各々は、それぞれの地理的エリア１１０に通信範囲を与え得る。幾つかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、又は幾つかの他の好適な用語で呼ばれることがある。基地局に対するカバー領域１１０は、カバー領域（図示せず）の一部のみを形成するセクタに分割され得る。システム１００は、異なるタイプの基地局１０５（例えば、マクロ基地局、マイクロ基地局、及び／又はピコ基地局）を含み得る。異なる技術について重複するカバー領域があり得る。
【００２５】
[0035]機器１１５は、例えばバッテリー式機器であり得る。幾つかの例によれば、機器１１５は、機器１１５のバッテリーの充電の状態を調べるように構成され得る。バッテリーの現在の充電の状態を周期的に調べることにより、機器１１５は、バッテリーが２つ以上の充電状態レベルのうちの１つにあることを決定し得、その充電状態レベルに基づいてモデムの省電力モードを呼び出し得る。
【００２６】
[0036]システム１００が、範囲の重複するエリアを含む場合、又はシステム１００が複数の信号周波数をサポートする場合、機器１１５は、ワイヤレス通信に対する特定の周波数の適合性を決定するために、利用可能な周波数のスキャンを周期的に実施し得る。そのようなスキャンは、周波数スキャン（ＦＳＣＡＮ）要求と呼ばれ得るものであり、機器１１５に好適であるワイヤレス通信の周波数を検出するために、機器１１５によって周期的に実施され得る。ＦＳＣＡＮ要求に加えて、機器１１５はまた、周期的な近隣探索要求の実施を通じて１つ又は複数の近隣基地局１０５からの信号を監視し得、そのような近隣探索要求からの情報は、種々の基地局１０５間における機器１１５のハンドオーバに使用され得る。
【００２７】
[0037]幾つかの例では、システム１００は、ＬＴＥ／ＬＴＥ−Ａネットワークを含む。ＬＴＥ／ＬＴＥ−Ａネットワークでは、発展型ノードＢ（ｅＮＢ）及びユーザ機器（ＵＥ）という用語は、概して、それぞれ基地局１０５及び機器１１５について説明するために使用され得る。システム１００は、異なるタイプのｅＮＢが様々な地理的領域に範囲を提供する、異種ＬＴＥ／ＬＴＥ−Ａネットワークであり得る。例えば、各ｅＮＢ１０５は、マクロセル、ピコセル、フェムトセル、及び／又は他のタイプのセルに通信範囲を提供し得る。マクロセルは、概して、比較的大きい地理的エリア（例えば、半径数キロメートル）をカバーし、ネットワークプロバイダのサービスに加入しているＵＥによる無制限アクセスを可能にし得る。ピコセルは、概して、比較的小さい地理的エリアをカバーすることになり、ネットワークプロバイダのサービスに加入しているＵＥによる無制限アクセスを可能にし得る。また、フェムトセルは、概して、比較的小さい地理的エリア（例えば、自宅）をカバーすることになり、無制限アクセスに加えて、フェムトセルとの関連を有するＵＥ（例えば、限定加入者グループ（ＣＳＧ）中のＵＥ、自宅内のユーザのためのＵＥなど）による制限付きアクセスをも提供し得る。マクロセルのためのｅＮＢはマクロｅＮＢと呼ばれることがある。ピコセルのためのｅＮＢは、ピコｅＮＢと呼ばれることがある。また、フェムトセルのためのｅＮＢは、フェムトｅＮＢ又はホームｅＮＢと呼ばれることがある。ｅＮＢは、１つ又は複数（例えば、２つ、３つ、４つなど）のセルをサポートすることができる。
【００２８】
[0038]コアネットワーク１３０は、帰路１３２（例えば、Ｓ１など）を介してｅＮＢ１０５と通信し得る。ｅＮＢ１０５はまた、例えば、帰路リンク１３４（例えば、Ｘ２など）を介して及び／又は帰路リンク１３２を介して（例えば、コアネットワーク１３０を介して）、直接的又は間接的に、互いに通信し得る。ワイヤレスネットワーク１００は同期動作又は非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。本明細書で説明される技法は、同期動作又は非同期動作のいずれかに対して使用され得る。
【００２９】
[0039]ＵＥ１１５はワイヤレスネットワーク１００全体にわたって分散され、各ＵＥは固定又はモバイルであり得る。ＵＥ１１５は、当業者によって、移動局、加入者局、モバイルユニット、加入者ユニット、ワイヤレスユニット、リモートユニット、モバイル機器、ワイヤレス機器、ワイヤレス通信機器、リモート機器、モバイル加入者局、アクセス端末、モバイル端末、ワイヤレス端末、リモート端末、ハンドセット、ユーザエージェント、モバイルクライアント、クライアント、又は何らかの他の好適な用語で呼ばれることもある。ＵＥ１１５は、セルラー電話、携帯情報端末（ＰＤＡ）、ワイヤレスモデム、ワイヤレス通信機器、ハンドヘルド機器、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。
【００３０】
[0040]次に図２を参照すると、ＵＥの電力を管理する例示的なワイヤレス通信システム２００が示されている。システム２００はまた、図１のユーザ機器１１５の一例であり得るＵＥ１１５−ａを含む。ＵＥ１１５−ａは、プロセッサモジュール２１０と、メモリ２２０と、通信管理モジュール２３０と、電力管理モジュール２４０と、１つ又は複数のモデムモジュール２７０と、１つ又は複数のアンテナ２８０とを含み得、これらはそれぞれ、（例えば１つ又は複数のバス２３５を介して）互いに直接的又は間接的に通信し得る。ＵＥ１１５−ａはまた、ＵＥ１１５−ａの構成要素に動作電力を供給し得る内部電源２８５を含む。幾つかの例では、ＵＥは、内部電源２８５の現在の充電の状態を決定するように構成される。幾つかの例では、電力管理モジュール２４０は、内部電源２８５の充電の状態を調べるように構成され得る。電力管理モジュール２４０は、例えば電力管理集積回路（ＰＭＩＣ）を含み得る。幾つかの例では、内部電源２８５は、１つ又は複数のバッテリーを、関連する充電制御回路とともに含む。本明細書で使用する内部電源及びバッテリーという用語は、互換的に使用され得る。
【００３１】
[0041]プロセッサモジュール２１０は、インテリジェントハードウェア機器、例えば、中央処理ユニット（ＣＰＵ）、マイクロコントローラ、特定用途向け集積回路（ＡＳＩＣ）などを含み得る。メモリモジュール２２０は、ランダムアクセスメモリ（ＲＡＭ）と読取り専用メモリ（ＲＯＭ）とを含み得る。メモリモジュール２２０は、実行されると（又はコンパイルされ、実行されると）プロセッサモジュール２１０に本明細書で説明する様々な機能を実施させるように構成された命令を含んでいるコンピュータ可読、コンピュータ実行可能ソフトウェアコード２２５を記憶し得る。ＵＥ１１５−ａの構成要素は、個別に又は集合的に、ハードウェア中の適用可能な機能の一部又は全部を実施するように適応された１つ又は複数のＡＳＩＣを用いて実現され得る。言及したモジュールの各々は、ＵＥ１１５−ａの動作に関係する１つ又は複数の機能を実施するための手段であり得る。
【００３２】
[0042]幾つかの例では、モデムモジュール２７０は、例えば、ＵＥ１１５−ａと、図１の基地局１０５などの１つ又は複数の基地局との間のエアインターフェースに関連付けられる様々な機能を実施するように構成され得る。そのような機能は、例えば、信号の変調及び復調、並びに基地局との通信に必要な様々な符号化及び通信機能を含み得る。幾つかの例では、モデムモジュール２７０は、電源２８５の現在の充電の状態を決定し得、その決定した充電の状態に基づいてモデムの１つ又は複数のモデム制御パラメータを調整し得る。例えば、モデムの１つ又は複数のモデム制御パラメータを調整することは、モデムによる使用のために利用可能なＵＥの受信チェーンの数を低減することを含む。幾つかの例では、１つ又は複数のモデム制御パラメータを調整することは、現在の充電の状態に基づいて１つ又は複数の省電力動作モードを呼び出すことを含み得る。モデムモジュール２７０は、直接的に又は間接的に電源２８５の充電の状態を調べるように構成され得る。幾つかの例では、電力管理モジュール２４０は電源２８５の充電の状態を調べ、モデムモジュール２７０は、内部電源２８５の現在の充電の状態を決定するために、電力管理モジュール２４０に周期的にポーリングし得る。
【００３３】
[0043]幾つかの例では、電源２８５の現在の充電の状態は、１つ又は複数の充電状態レベルに分類され得る。これらの充電状態レベルは、電源２８５の利用可能な電力の残留レベルに対応し得、例えば、残留電荷量に基づいた１つ又は複数の警告状態を含み得る。例えば、電源２８５の残留電力の第１のレベルは、第１の充電状態レベルに対応し得、電力の第１のレベル未満の、残留電力の第２のレベルは、第２の充電状態レベルに対応し得る。更に、充電状態レベルは、電源２８５が外部電源に接続されているかどうかに依存し得る。従って、電源２８５が比較的低い充電状態レベルを有するが、外部電源に接続されている場合、電源２８５は再充電されており、現在の電力消費要件が外部電源によって満たされ得るため、電力管理モジュール２４０及び／又はモデムモジュール２７０は、低い充電状態レベルを無視し得る。
【００３４】
[0044]上述のように、種々の充電状態レベルが定義され得、第１の充電状態レベルは、完全に充電された内部電源２８５に対応し得、１つ又は複数の他の充電状態レベルは、残留電荷の幾つかの閾値パーセンテージ又は比率を有する電源に対応し得る。幾つかの例では、１０％超と１０％以下など、２つの充電状態レベルが存在する。他の例では、３つの充電状態レベルが存在する。しかしながら、任意の数の充電状態レベルが使用され得る。幾つかの例では、電力管理モジュール２４０は、内部電源２８５の現在の充電の状態に基づいて充電状態レベルを識別し得る。他の例では、モデムモジュール２７０は、電源２８５の現在の充電の状態に基づいて充電状態レベルを識別し得る。
【００３５】
[0045]上述のように、幾つかの例では、ＵＥ１１５−ａは１つ又は複数の省電力モードを含み得る。１つ又は複数の省電力モードは、ＵＥ１１５−ａの様々な機能、及び／又はＵＥ１１５−ａ内に収容された様々なモジュール並びにプロセッサを制御し得る。幾つかの例では、省電力モードは、１つ又は複数のアルゴリズムによって制御されるか、又は１つ又は複数のアルゴリズムに関連付けられる。１つ又は複数の省電力モードは、プロセッサモジュール２１０、１つ又は複数のモデムモジュール２７０、通信管理モジュール２３０、及び／又は電力管理モジュール２４０のいずれかによって制御され得る。幾つかの例では、識別された充電状態レベルは１つ又は複数の省電力モードを呼び出し得る。例えば、上記で説明したように、電源２８５の現在の充電の状態が決定され得、モデムモジュール２７０の１つ又は複数のモデム制御パラメータが、電源２８５の現在の充電の状態に基づいて調整され得る。３つ以上の充電状態を含み得る例では、モデムモジュール２７０の１つ又は複数の制御パラメータの調整は、識別された充電状態レベルに基づいて１つ又は複数の省電力モードを選択することを含み得る。
【００３６】
[0046]例えば、ＵＥ１１５−ａの各アンテナ２８０は１つ又は複数の受信チェーンを含み得る。複数の受信チェーンは、ＵＥ１１５−ａが複数の信号を同時に受信及び処理することを可能にし得る。しかしながら、利用可能な受信チェーンの数はＵＥ１１５−ａの電力消費量に影響を及ぼし得る。上述のように、電源２８５の現在の充電の状態に基づいて、ＵＥ１１５−ａは、ＵＥ１１５−ａの１つ又は複数のモデム制御パラメータを調整することによって、１つ又は複数の受信チェーンを選択的に有効化又は無効化し、それによってＵＥ１１５−ａの電力要件を変更し得る。この有効化又は無効化は、モデムモジュール２７０、プロセッサモジュール２１０、通信管理モジュール２３０又は電力管理モジュール２４０のうちの１つ又は複数によって開始され得る。従って、有効な又は利用可能な受信チェーンの数は、ＵＥ１１５−ａに含まれた受信チェーンの実際の又は最大の数よりも少なくなり得る。
【００３７】
[0047]利用可能な受信チェーンの数は、例えば、電源２８５の充電状態に基づいてＵＥのランクを通知することによって変更され得る。例えば、通知された「１」のランクは、利用可能な受信チェーンを１つのみ持つＵＥ１１５−ａに対応し得る。通知されたランクは、ＵＥ１１５−ａに含まれた受信チェーンの全てが有効又は利用可能であるときに最高となる。従って、幾つかの例では、利用可能な受信チェーンの数は、（例えば電源２８５の充電状態に基づいて）ＵＥ１１５−ａの最高ランクよりも低いＵＥ１１５−ａのランクを通知することによって低減され得る。同様に、キャリアアグリゲーションが有効化されている場合、ＵＥ１１５−ａは、２つ以上のダウンリンク（ＤＬ）キャリア（周波数）上で複数の受信チェーンを監視し得、それによってデータスループットの増大が可能となる。そのような場合、内部電源２８５の現在の充電の状態に基づいて、ＵＥ１１５−ａは、ネットワークに２次キャリアのうちの１つ又は複数を無効化させ得るゼロとして、チャネル品質インジケータ（ＣＱＩ）を通知し得る。
【００３８】
[0048]追加又は代替として、電力消費量は、ＵＥのＦＳＣＡＮ要求に対する１つ又は複数の変更を通じて調整され得る。上記で説明したように、ＵＥ１１５−ａは、ワイヤレス通信に好適な信号及び／又は基地局を探索するために、周波数スキャン（ＦＳＣＡＮ）要求を周期的に実施し得る。チャネル状態が不十分であるときなど、特定の場合には、高頻度のＦＳＣＡＮ要求は、かなりの量のバッテリー電力を消費し得る。幾つかの例では、ＵＥ１１５−ａの電力を管理するために、１つ又は複数のＦＳＣＡＮ要求の間の時間遅延が増加され得る。時間遅延は、電源２８５の現在の充電の状態に基づいて、ＵＥ１１５−ａのモデムの１つ又は複数のモデム制御パラメータを調整することによって増加され得る。プロセッサモジュール２１０、モデムモジュール２７０、通信管理モジュール２３０及び／又は電力管理モジュール２４０のうちのいずれか１つが、ＦＳＣＡＮ要求の間の時間遅延を制御し得る。幾つかの例では、時間遅延は、連続する不成功のＦＳＣＡＮ要求の数に基づいて増加される。例えば、連続する不成功のＦＳＣＡＮ要求に続いて、ある遅延が、別のＦＳＣＡＮ要求を開始する前に実施され得、その遅延は、電源２８５の充電状態又は更なる連続する不成功のＦＳＣＡＮ要求の１つ又は複数に基づいて、更に増加され得る。
【００３９】
[0049]追加又は代替として、無線リソース制御（ＲＲＣ）接続状態におけるＵＥ１１５−ａの電力消費量は、ＵＥ１１５−ａの実際のカテゴリよりも低いＵＥ１１５−ａのカテゴリ及び／又はＵＥ１１５−ａが通知することができる最高のカテゴリよりも低いＵＥ１１５−ａのカテゴリを通知することによって、低減及び／又は調整され得る。例えば、内部電源２８５の現在の充電の状態に基づいて、Ｃａｔ  ４のＵＥ１１５−ａはそのカテゴリをＣａｔ  ３として通知し得、Ｃａｔ  ３のＵＥ１１５−ａはそのカテゴリをＣａｔ  ２として通知し得る。
【００４０】
[0050]上述のように、ＵＥ１１５−ａは、１つ又は複数の近隣基地局のチャネル状態を識別するために、近隣探索を周期的に実施し得る。近隣探索要求の一部として、ＵＥ１１５−ａはまた１つ又は複数の測定を行い得る。幾つかの例では、１つ又は複数の測定は、１つ又は複数の周波数間又は無線アクセス技術間の測定を含み得る。他の例では、ＵＥ１１５−ａは、サービス基地局及び１つ又は複数の近隣基地局の基準信号受信電力（ＲＳＲＰ）を決定し得る。各態様では、これらの近隣探索要求が実施される度合いは、プロセッサモジュール２１０、モデムモジュール２７０、通信管理モジュール２３０、及び／又は電力管理モジュール２４０のいずれかによって制御され得る。幾つかの例では、ＵＥによって実施される近隣探索要求の度合いは、ＵＥ１１５−ａのモデムの１つ又は複数のモデム制御パラメータを調整することによって低減される。近隣探索要求の度合いは、電源２８５の現在の充電の状態に基づいて低減され得る。幾つかの例では、近隣探索要求がＵＥ１１５−ａによって実施される度合いは、１つ又は複数の周波数間又は無線アクセス技術間の測定に基づき得る。更に、近隣探索要求の度合いは、幾つかの例ではＲＳＲＰに基づき得る。例えば、電源が低い充電状態を有し、サービス基地局のＲＳＲＰが比較的強い場合、ＵＥ１１５−ａが近隣基地局にハンドオーバされることが必要となる可能性は低くなり得、連続する近隣探索要求間の時間期間は、電源２８５の寿命を延長するために増加され得る。
【００４１】
[0051]ＵＥ１１５−ａは、更なる例では、ＵＥ１１５−ａがアップリンク上で送信すべきデータを有するかどうか、及び／又はどれだけのデータが送信されるべきかを示すバッファステータス報告（ＢＳＲ）パラメータを提供し得る。幾つかの例では、ＵＥの実際のデータ量に対する低減されたデータ量を示すＢＳＲが提供され得る。幾つかの例では、ＢＳＲは、ＵＥ１１５−ａの内部電源の現在の充電の状態に基づいて、ＵＥ１１５−ａのモデムの１つ又は複数のモデム制御パラメータを調整することによって提供され得る。バッテリー電力を温存するため、ＵＥ１１５−ａは、低減されたＢＳＲ値又はゼロのＢＳＲ値を通知し得る。そのような動作の結果として、ＵＥ１１５−ａに与えられるアップリンクリソース許可が低減されるか、又はＵＥ１１５−ａにアップリンクリソース許可が与えられなくなり、それによって電源２８５の寿命が延長される。更なる例では、ＵＥ１１５−ａは、電源２８５の現在の充電の状態に基づいて、アップリンクチャネルの最大送信電力レベルを調整し得る。
【００４２】
[0052]図３は、図２の１つ又は複数のモデムモジュール２７０の一例であり得る機器２７０−ａの一例を示す。幾つかの例では、機器２７０−ａは、図１及び／又は図２を参照しながら説明したＵＥ１１５の１つ又は複数の態様の一例であり得る。機器２７０−ａは、モデムプロセッサモジュール３０５と、１つ又は複数の受信機モジュール３１０と、１つ又は複数の送信機モジュール３１５とを含む。これらのコンポーネントの各々は、互いに、直接又は間接的に通信し得る。
【００４３】
[0053]機器２７０−ａの構成要素は、適用可能な機能の一部又は全部をハードウェアで実施するように適応された１つ又は複数のＡＳＩＣを用いて、個々に又はまとめて実装され得る。代替的には、それらの機能は、１つ又は複数の他の処理ユニット（又はコア）によって、１つ又は複数の集積回路上で実行され得る。他の例では、当技術分野で知られている任意の方法でプログラムされ得る、他のタイプの集積回路（例えば、ストラクチャード／プラットフォームＡＳＩＣ、フィールドプログラマブルゲートアレイ（ＦＰＧＡ）、及び他のセミカスタムＩＣ）が使用され得る。各ユニットの機能はまた、全体的又は部分的に、１つ又は複数の汎用プロセッサ又は特定用途向けプロセッサによって実行されるようにフォーマットされた、メモリに組み込まれた命令を用いて実装され得る。
【００４４】
[0054]送信機モジュール３１５は、上記で説明したように、１つ又は複数のワイヤレス通信ネットワーク（例えば、Ｅ−ＵＴＲＡＮ、ＵＴＲＡＮなど）との通信を確立するために、図１の基地局１０５などの基地局に送信し得る。受信機モジュール３１０は、上記で説明したように、図１の基地局１０５などの基地局からダウンリンク送信を受信し得る。幾つかの例では、モデムプロセッサモジュール３０５は、例えば、ＵＥ電源の現在の充電状態を決定し、その現在の充電状態に基づいて、図１及び／又は図２に関して上記で説明したような１つ又は複数の省電力技法を呼び出し得る。
【００４５】
[0055]ここで図４を参照すると、機器２７０−ｂの一例が示されている。機器２７０−ｂは、図２のモデムモジュール２７０及び／又は図３の機器２７０−ａの一例であり得る。幾つかの例では、機器２７０−ｂは、図１及び／又は図２を参照して説明したＵＥ１１５又はＵＥ１１５−ａの１つ又は複数の態様の一例であり得る。この例における機器２７０−ｂは、省電力モードモジュール４１５を含んだモデムプロセッサモジュール３０５−ａを含む。任意のアプリケーションプロセッサモジュール４１０がモデムプロセッサモジュール３０５−ａと通信し得る。モデムプロセッサモジュール３０５−ａは、図３のモデムプロセッサモジュールの一例であり得る。アプリケーションプロセッサモジュール４１０は、例えば、図２の電力管理モジュール２４０及び／又はＰＭＩＣなどの電力管理モジュールと通信可能に結合され得る。
【００４６】
[0056]機器２７０−ｂはまた、それぞれモデムプロセッサモジュール３０５−ａと通信可能に結合された送信／受信変調器／復調器４２０−ａ〜４２０−ｎを含む。送信／受信変調器／復調器４２０−ａ〜４２０−ｎの各々は、アンテナ４２５−ａ〜４２５−ｎと通信可能に結合されている。モデムプロセッサモジュール３０５−ａは、例えば、２つ以上のコンポーネントキャリア上における複数の同時のワイヤレス送信をサポートするために、２つ以上の送信／受信変調器／復調器４２０及び関連付けられたアンテナ４２５を使用し得る。モデムプロセッサモジュール３０５−ａは、ＵＥが、ＵＥにおける利用可能な送信／受信チェーンの数を示すＵＥのランクを通知することによって、複数の同時送信を使用して通信を送信及び／又は受信することが可能であることを通信し得る。
【００４７】
[0057]幾つかの例では、省電力モードモジュール４１５は、例えば、ＵＥ電源の現在の充電状態を決定し、その現在の充電状態に基づいて、図１、２及び／又は３に関して上記で説明したような１つ又は複数の省電力技法を呼び出し得る。省電力モードモジュール４１５は、現在の充電状態を、例えばアプリケーションプロセッサモジュール４１０から受信し得る。アプリケーションプロセッサモジュール４１０は、上述のように電力管理モジュールと通信し、電力管理モジュールからの情報に基づいてＵＥ電源の現在の充電状態を取得し得る。アプリケーションプロセッサは、例えば、ＵＥのユーザインターフェース上に充電インジケータを設けるために、この現在の充電状態を使用し得、また省電力モードモジュール４１５にこの現在の充電状態を提供し得る。他の例では、省電力モードモジュール４１５は、例えば、図２の電力管理モジュール２４０及び／又はＰＭＩＣと通信し得る。
【００４８】
[0058]上記で説明したように、電源の現在の充電の状態に基づいて、省電力モードモジュール４１５は、１つ又は複数の受信チェーンを選択的に有効化又は無効化し、それによって機器２７０−ａの電力要件を変更し得る。例えば、電源の現在の充電の状態が閾値レベル未満であると省電力モードモジュール４１５が決定した場合、機器の通知されるランクは低減され得、それによって、有効な又は利用可能な受信チェーンの数は実際の受信チェーンの数よりも少なくなり得る。幾つかの例では、利用可能な受信チェーンの数は、電源の充電の２つ以上の閾値レベルに基づいて、１つ又は複数の増分で低減され得る。例えば、最高ランクが４である場合、省電力モードモジュール４１５は、電源が２０％以下にあるときにはランクを４から２に変更し得、また電源が１０％以下にあるときにはランクを２から１に更に変更し得る。
【００４９】
[0059]省電力モードモジュール４１５は、同じく又は代替的に、例えばＦＳＣＡＮ要求の頻度に関する１つ又は複数の変更を通じて、電力消費量を低減し得る。上記で説明したように、ＵＥ１１５−ａは、ワイヤレス通信に好適な信号及び／又は基地局を探索するために、ＦＳＣＡＮ操作を周期的に実施し得る。幾つかの例によれば、１つ又は複数のＦＳＣＡＮ要求の間の時間遅延は、電源の現在の充電の状態に基づいて増加され得る。幾つかの例では、時間遅延は、連続する不成功のＦＳＣＡＮ要求の数に基づいて増分される。例えば、連続する不成功のＦＳＣＡＮ要求に続いて、別のＦＳＣＡＮ要求を開始する前に遅延が実施され得、その遅延は、電源の充電状態及び／又は更なる連続する不成功のＦＳＣＡＮ要求の１つ又は複数に基づいて、更に増加され得る。更に、この遅延は、電源の現在の充電の状態の、２つ以上の閾値レベルに基づいて、増分的に増加され得る。
【００５０】
[0060]同様に、上述のように、省電力モードモジュール４１５は、近隣探索の頻度を低減する省電力モードを呼び出し得る。幾つかの例では、実施される近隣探索要求の度合いは、電源の現在の充電の状態及び／又はサービスセル（serving cell）のＲＳＲＰの１つ又は複数に基づいて低減され得る。更に、この近隣探索の度合いは、電源の現在の充電の状態の、２つ以上の閾値レベルに基づいて、２つ以上の増分で低減され得る。例えば、電源が低い充電状態を有し、サービス基地局のＲＳＲＰが比較的強い場合、連続する近隣探索要求の間の遅延は、電源２８５の寿命を延長するために増加され得る。
【００５１】
[0061]省電力モードモジュール４１５は、更なる例では、機器２７０−ｂから送信されるためにバッファリングされたデータの実際の量に対する低減されたデータの量を示すためのＢＳＲパラメータを調整するために、省電力モードを呼び出し得る。そのような動作により、結果として、ＵＥに与えられるアップリンクリソース許可が低減されるか、又はＵＥにアップリンクリソース許可が与えられなくなり、それによって電源２８５の寿命が延長される。更なる例では、省電力モードモジュール４１５は、電源の現在の充電の状態に基づいて、アップリンクチャネルの最大送信電力レベルを調整し得る。上述のように、省電力モードモジュール４１５は、機器２７０−ｂの電源の現在の充電の状態に基づいて１つ又は複数の省電力モードを呼び出し得る。例えば、電源の現在の充電の状態が３０％である場合、省電力モードモジュール４１５は、ＦＳＣＡＮ及び／又は近隣探索動作において１つ又は複数の遅延を増加させるために、省電力モードを呼び出し得る。そのような動作は、電源の寿命を延長し、ユーザエクスペリエンスに比較的小さな影響をもたらし得る。
【００５２】
[0062]現在の充電の状態が２０％未満に低下した場合、省電力モードモジュール４１５は、前に呼び出された省電力モードに加えて、ＵＥの通知されるランクを低減するための省電力モードを呼び出し得る。そのような動作は、データを送信するために利用可能なデータレートを低減し、また電力消費量をも低減し得、それによって電源の寿命が延長される。幾つかの例では、現在の充電の状態が１０％未満に低下した場合、省電力モードモジュール４１５は、前に呼び出された省電力モードに加えて、ＢＳＲで報告される通知される値を低減するための省電力モードを呼び出し得る。最後に、現在の充電の状態が５％未満に低下した場合、省電力モードモジュール４１５は、前に呼び出された省電力モードに加えて、アップリンクチャネルの最大送信電力レベルを低減するための省電力モードを呼び出し得る。
【００５３】
[0063]もちろん、上記で説明した省電力モードを呼び出す割合及び順序は例示的なものであり、当業者には直ちに明らかとなるように、種々の値及び省電力モードを呼び出す順序は変更され得る。更に、幾つかの例では、省電力モードを呼び出すための順序及び閾値レベルは、機器の現在の使用率及び／又は現在のチャネル条件に基づいて、適応的に決定され得る。例えば、ＵＥを使用してデータ又はボイストラフィックが送信されておらず、機器が比較的長い時間期間の間、アイドル状態であった場合、省電力モードモジュール４１５は、通知されるランクを低減し、ＢＳＲ値を調整するとき、単純に近隣探索及びＦＳＣＡＮのための遅延を単一の閾値レベルで呼び出し得、送信電力は、限定的な影響を残りの電源寿命に及ぼす。同様に、複数の連続するＦＳＣＡＮ動作が不成功となったと決定された場合、電源における電力の消耗を低減するために、連続するＦＳＣＡＮ動作の間の遅延を増加させるための省電力モードが、電源の比較的高い充電レベルで実現され得る。
【００５４】
[0064]図５は、基地局５０５とモバイル機器５１５とを含むシステム５００のブロック図である。このシステム５００は、図１のシステム１００の一例であり得る。基地局５０５は、アンテナ５３４−１〜５３４−ｘを装備され得、モバイル機器５１５は、アンテナ５５２−１〜５５２−ｎを装備され得る。基地局５０５において、送信プロセッサ５２０がデータソースからデータを受信し得る。
【００５５】
[0065]送信プロセッサ５２０は、データを処理し得る。送信プロセッサ５２０はまた、基準シンボルと、セル固有基準信号とを生成し得る。送信（ＴＸ）ＭＩＭＯプロセッサ５３０が、適用可能な場合、データシンボル、制御シンボル、及び／又は基準シンボルに対して空間処理（例えば、プリコーディング）を実施し得、出力シンボルストリームを送信変調器５３２−１〜５３２−ｘに与え得る。各変調器５３２は、出力サンプルストリームを取得するために（例えば、ＯＦＤＭなどのための）それぞれの出力シンボルストリームを処理し得る。各変調器５３２は、ダウンリンク（ＤＬ）信号を取得するために、その出力サンプルストリームを更に処理（例えば、アナログ変換、増幅、フィルタ処理、及びアップコンバート）し得る。一例では、変調器５３２−１〜５３２−ｘからのＤＬ信号は、アンテナ５３４−１〜５３４−ｘを介して送信され得る。
【００５６】
[0066]モバイル機器５１５において、モバイル機器アンテナ５５２−１〜５５２−ｎが、基地局５０５から特定のＴＤＤアップリンク／ダウンリンク構成に従ってＤＬ信号を受信し得、その受信された信号をそれぞれ復調器５５４−１〜５５４−ｎに与え得る。各復調器５５４は入力サンプルを取得するために、それぞれの受信信号を調整（例えば、フィルタ処理、増幅、ダウンコンバート、及びデジタル化）し得る。各復調器５５４は更に、受信シンボルを取得するために、（例えば、ＯＦＤＭなどのために）入力サンプルを更に処理し得る。ＭＩＭＯ検波器５５６は、全ての復調器５５４−１〜５５４−ｎから受信シンボルを取得し、適用可能な場合、受信シンボルに対してＭＩＭＯ検波を実施し、検出されたシンボルを供給し得る。受信機プロセッサ５５８は、検出シンボルを処理（例えば、復調、デインターリーブ、及び復号）して、モバイル機器５１５に関して復号されたデータをデータ出力に与えて、復号された制御情報をプロセッサ５８０、又はメモリ５８２に与え得る。プロセッサ５８０は、例えば、図１〜４に関して上記で説明した省電力モード動作を実施し得る。しかしながら、図５における任意の他のＵＥプロセッサ又はモジュールが、図１〜４に関して上記で説明した省電力モード動作を実施するために利用され得る。
【００５７】
[0067]アップリンク（ＵＬ）上で、モバイル機器５１５において、送信プロセッサ５６４は、データソースからデータを受信し処理し得る。送信プロセッサ５６４はまた、参照信号のための参照シンボルを生成し得る。送信プロセッサ５６４からのシンボルは、適用可能な場合、送信ＭＩＭＯプロセッサ５６６によってプリコーディングされ、更に（例えば、ＳＣ−ＦＤＭＡなどのための）復調器５５４−１〜５５４−ｎによって処理され、基地局５０５から受信された送信パラメータに従って基地局５０５に送信され得る。基地局５０５において、モバイル機器５１５からのＵＬ信号がアンテナ５３４によって受信され、復調器５３２によって処理され、適用可能な場合、ＭＩＭＯ検波器５３６によって検出され、受信プロセッサ５３８によって更に処理され得る。受信プロセッサ５３８は、復号されたデータをデータ出力及びプロセッサ５４０に与え得る。メモリ５４２はプロセッサ５４０に結合され得る。同様に上記で説明されたように、システム５００は複数のコンポーネントキャリア上での動作をサポートし得、コンポーネントキャリアの各々は、基地局５０５と機器５１５との間で送信される種々の周波数の波形信号を含む。複数のコンポーネントキャリアは、モバイル機器５１５と基地局５０５との間のアップリンク及びダウンリンク送信を搬送し得、基地局５０５は、複数のコンポーネントキャリア上での動作をサポートし得る。モバイル機器５１５の構成要素は、個別に又は集合的に、ハードウェア中の適用可能な機能の一部又は全部を実施するように適応された１つ又は複数の特定用途向け集積回路（ＡＳＩＣ）を用いて実装され得る。言及されたモジュールの各々は、システム５００の動作に関係する１つ又は複数の機能を実施するための手段であり得る。同様に、基地局５０５の構成要素は、個々に又はまとめて、適用可能な機能の一部又は全部をハードウェアで実施するように適応された１つ又は複数の特定用途向け集積回路（ＡＳＩＣ）を用いて実装され得る。言及された構成要素の各々は、システム５００の動作に関係する１つ又は複数の機能を実施するための手段であり得る。
【００５８】
[0068]図６は、様々な例による、ワイヤレス通信システムにおいてＵＥによって実行され得る別の方法６００を示している。方法６００は、例えば、図１、２、及び／又は５のＵＥ１１５によって実施され得る。加えて、方法６００は、それぞれ図２、３、及び／又は４の機器２７０、２７０−ａ及び／又は２７０−ｂによって実行され得る。一例では、ｅＮＢ、ＵＥ、又は機器は、以下で説明する機能を実施するためにｅＮＢ、ＵＥ、又は機器の機能要素を制御するためのコードの１つ又は複数のセットを実行し得る。
【００５９】
[0069]最初、ブロック６０５において、ＵＥの内部電源の現在の充電の状態が決定される。ＵＥの内部電源は、例えばバッテリーであり得る。例によれば、図２を参照しながら説明した電力管理モジュール２４０などの電力管理回路が、内部電源２８５の充電の状態を決定するために、ＵＥ１１５−ａの内部電源２８５を調べるように構成され得る。幾つかの例では、図２を参照しながら説明したＵＥ１１５−ａのモデムモジュール２７０は、直接的に又は間接的に電源２８５の充電の状態を調べるように構成され得る。幾つかの例では、電力管理モジュール２４０は電源２８５の充電の状態を調べ、モデムモジュール２７０は、内部電源２８５の現在の充電の状態を決定するために、電力管理モジュール２４０に周期的にポーリングし得る。ＵＥ１１５の内部電源の現在の充電の状態はまた、図３を参照しながら説明したモデムプロセッサモジュール３０５、図４を参照しながら説明したモデムプロセッサモジュール３０５−ａ、及び／又は図５のプロセッサ５８０によって決定され得る。
【００６０】
[0070]ブロック６１０において、ＵＥのモデムの１つ又は複数のモデム制御パラメータが、ＵＥの内部電源の、決定された現在の充電の状態に応答して調整される。例えば、ＵＥのモードの１つ又は複数のモデム制御パラメータを調整することは、モデムによる使用のために利用可能なＵＥの受信チェーンの数を低減することを含み得る。１つ又は複数のモデム制御パラメータは、図２を参照しながら説明したプロセッサモジュール２１０、通信管理モジュール２３０、電力管理モジュール２４０、及び／又はモデムモジュール２７０のうちのいずれかによって調整され得る。幾つかの例では、図３を参照しながら説明したモデムプロセッサモジュール３０５、図４を参照しながら説明したモデムプロセッサモジュール３０５−ａ、及び／又は図５のプロセッサ５８０はそれぞれ、内部電源の決定された現在の充電の状態に応答して、１つ又は複数のモデム制御パラメータを調整するように構成され得る。
【００６１】
[0071]図７は、様々な例による、ワイヤレス通信システムにおいてＵＥによって実行され得る別の方法７００を示している。方法７００は、例えば、図１、２、及び／又は５のＵＥ１１５によって実施され得る。加えて、方法７００は、それぞれ図２、３、及び／又は４の機器２７０、２７０−ａ及び／又は２７０−ｂによって実行され得る。一例では、ｅＮＢ、ＵＥ、又は機器は、以下で説明する機能を実施するためにｅＮＢ、ＵＥ、又は機器の機能要素を制御するためのコードの１つ又は複数のセットを実行し得る。
【００６２】
[0072]最初、ブロック７０５において、ＵＥの内部電源の現在の充電の状態が決定される。例によれば、図２を参照しながら説明した電力管理モジュール２４０などの電力管理回路が、内部電源２８５の充電の状態を決定するために、ＵＥ１１５−ａの内部電源２８５を調べるように構成され得る。幾つかの例では、図２を参照しながら説明したＵＥ１１５−ａのモデムモジュール２７０は、直接的に又は間接的に電源２８５の充電の状態を調べるように構成され得る。幾つかの例では、電力管理モジュール２４０は電源２８５の充電の状態を調べ、モデムモジュール２７０は、内部電源２８５の現在の充電の状態を決定するために、電力管理モジュール２４０に周期的にポーリングし得る。ＵＥ１１５−ａの内部電源２８５の現在の充電の状態はまた、図３を参照しながら説明したモデムプロセッサモジュール３０５、図４を参照しながら説明したモデムプロセッサモジュール３０５−ａ、及び／又は図５のプロセッサ５８０によって決定され得る。
【００６３】
[0073]ブロック７１０において、内部電源の現在の充電の状態を決定することに応答して、内部電源の充電状態レベルが、複数の充電状態レベルから識別される。この充電状態レベルは、電源の利用可能な電力の残留レベルに対応し得、例えば、残留電荷量に基づいた１つ又は複数の警告状態を含み得る。例えば、電源２８５の残留電力の第１のレベルは、第１の充電状態レベルに対応し得、電力の第１のレベル未満の、残留電力の第２のレベルは、第２の充電状態レベルに対応し得る。他の例では、３つの充電状態レベルが存在する。しかしながら、任意の数の充電状態レベルが使用され得る。幾つかの例では、図２を参照しながら説明した電力管理モジュール２４０は、電源２８５の現在の充電の状態に基づいて充電状態レベルを識別し得る。他の例では、図２を参照しながら説明したモデムモジュール２７０は、電源２８５の現在の充電の状態に基づいて充電状態レベルを識別し得る。ＵＥ１１５−ａの内部電源２８５の充電状態レベルはまた、図３を参照しながら説明したモデムプロセッサモジュール３０５、図４を参照しながら説明したモデムプロセッサモジュール３０５−ａ、及び／又は図５のプロセッサ５８０によって識別され得る。
【００６４】
[0074]ブロック７１５において、モデム動作の複数の省電力モードのうちの１つ又は複数が、充電状態レベルに基づいて選択される。１つ又は複数の省電力モードは、ＵＥ１１５−ａの様々な機能、及び／又はＵＥ１１５−ａ内に収容された様々なモジュール及びプロセッサを制御し得る。幾つかの例では、省電力モードは、１つ又は複数のアルゴリズムによって制御されるか、又は１つ又は複数のアルゴリズムに関連付けられる。１つ又は複数の省電力モードは、図２を参照しながら説明したプロセッサモジュール２１０、１つ又は複数のモデムモジュール２７０、通信管理モジュール２３０、及び／又は電力管理モジュール２４０のいずれかによって制御され得る。幾つかの例では、１つ又は複数の省電力モードは、図３を参照しながら説明したモデムプロセッサモジュール３０５、図４を参照しながら説明したモデムプロセッサモジュール３０５−ａ、及び／又は図５のプロセッサ５８０のいずれかによって制御され得る。
【００６５】
[0075]図８は、様々な例による、ワイヤレス通信システムにおいてＵＥによって実行され得る方法８００を示している。方法８００は、例えば、図１、２、及び／又は５のＵＥ１１５によって実施され得る。加えて、方法８００は、それぞれ図２、３、及び／又は４の機器２７０、２７０−ａ及び／又は２７０−ｂによって実行され得る。一例では、ｅＮＢ、ＵＥ、又は機器は、以下で説明する機能を実施するためにｅＮＢ、ＵＥ、又は機器の機能要素を制御するためのコードの１つ又は複数のセットを実行し得る。
【００６６】
[0076]最初、ブロック８０５において、ＵＥの内部電源の現在の充電の状態が決定される。例によれば、図２を参照しながら説明した電力管理モジュール２４０などの電力管理回路が、内部電源２８５の充電の状態を決定するために、ＵＥ１１５−ａの内部電源２８５を調べるように構成され得る。幾つかの例では、図２を参照しながら説明したＵＥ１１５−ａのモデムモジュール２７０は、直接的に又は間接的に電源２８５の充電の状態を調べるように構成され得る。幾つかの例では、電力管理モジュール２４０は電源２８５の充電の状態を調べ、モデムモジュール２７０は、内部電源２８５の現在の充電の状態を決定するために、電力管理モジュール２４０に周期的にポーリングし得る。ＵＥの内部電源２８５の現在の充電の状態はまた、図３を参照しながら説明したモデムプロセッサモジュール３０５、図４を参照しながら説明したモデムプロセッサモジュール３０５−ａ、及び／又は図５のプロセッサ５８０によって決定され得る。
【００６７】
[0077]ブロック８１０において、モデムによる使用のために利用可能なＵＥの受信チェーンの数が、内部電源の充電の状態に基づいて低減される。複数の受信チェーンは、ＵＥ１１５が複数の信号を同時に受信及び処理することを可能にし得る。しかしながら、利用可能な受信チェーンの数は、ＵＥ１１５の電力消費量に影響を及ぼし得る。上述のように、電源２８５の現在の充電の状態に基づいて、ＵＥ１１５−ａは、ＵＥ１１５−ａの１つ又は複数のモデム制御パラメータを調整することによって、１つ又は複数の受信チェーンを選択的に有効化又は無効化し、それによってＵＥ１１５−ａの電力要件を変更し得る。この有効化又は無効化は、図２を参照しながら説明したモデムモジュール２７０、プロセッサモジュール２１０、通信管理モジュール２３０及び／又は電力管理モジュール２４０のうちの１つ又は複数によって開始され得る。幾つかの例では、有効化又は無効化は、図３を参照しながら説明したモデムプロセッサモジュール３０５、図４を参照しながら説明したモデムプロセッサモジュール３０５−ａ、図５のプロセッサ５８０、図４を参照しながら説明した省電力モードモジュール４１５、及び／又はアプリケーションプロセッサモジュール４１０のいずれかによって制御され得る。
【００６８】
[0078]ブロック８１５において、ＵＥの最高ランクよりも低いＵＥのランクが通知される。別個のブロックとして示されているが、各態様において、ブロック８１５は、ブロック８１０のサブブロックに含まれ得るか、又はブロック８１０のサブブロックであり得る。上記で説明したように、利用可能な受信チェーンの数は、例えば、電源２８５の充電状態に基づいてＵＥ１１５のランクを通知することによって変更され得る。通知されるランクは、ＵＥ１１５に含まれた受信チェーンの全てが有効又は利用可能であるときに最高となる。従って、幾つかの例では、利用可能な受信チェーンの数は、ＵＥ１１５の最高ランクよりも低いＵＥ１１５のランクを通知することによって低減され得る。ＵＥ１１５−ａの最高ランクよりも低いＵＥ１１５−ａのランクは、図２を参照しながら説明したプロセッサモジュール２１０、１つ又は複数のモデムモジュール２７０、通信管理モジュール２３０、及び／又は電力管理モジュール２４０のいずれかによって通知され得る。幾つかの例では、通知されるランクは、図３を参照しながら説明したモデムプロセッサモジュール３０５、図４を参照しながら説明したモデムプロセッサモジュール３０５−ａ、図５のプロセッサ５８０、図４を参照しながら説明した省電力モードモジュール４１５、又はアプリケーションプロセッサモジュール４１０のいずれかによって制御され得る。
【００６９】
[0079]図９は、様々な例による、ワイヤレス通信システムにおいてＵＥによって実行され得る方法９００を示している。方法９００は、例えば、図１、２、及び／又は５のＵＥ１１５によって実施され得る。加えて、方法９００は、それぞれ図２、３、及び／又は４の機器２７０、２７０−ａ及び／又は２７０−ｂによって実行され得る。一例では、ｅＮＢ、ＵＥ、又は機器は、以下で説明する機能を実施するためにｅＮＢ、ＵＥ、又は機器の機能要素を制御するためのコードの１つ又は複数のセットを実行し得る。
【００７０】
[0080]最初、ブロック９０５において、ＵＥの内部電源の現在の充電の状態が決定される。例によれば、図２を参照しながら説明した電力管理モジュール２４０などの電力管理回路が、内部電源２８５の充電の状態を決定するために、ＵＥ１１５−ａの内部電源２８５を調べるように構成され得る。幾つかの例では、図２を参照しながら説明したＵＥ１１５−ａのモデムモジュール２７０は、直接的に又は間接的に電源２８５の充電の状態を調べるように構成され得る。幾つかの例では、電力管理モジュール２４０は電源２８５の充電の状態を調べ、モデムモジュール２７０は、内部電源２８５の現在の充電の状態を決定するために、電力管理モジュール２４０に周期的にポーリングし得る。ＵＥ１１５−ａの内部電源２８５の現在の充電の状態はまた、図３を参照しながら説明したモデムプロセッサモジュール３０５、図４を参照しながら説明したモデムプロセッサモジュール３０５−ａ、及び／又は図５のプロセッサ５８０によって決定され得る。
【００７１】
[0081]ブロック９１０において、ＵＥによって実施される１つ又は複数の周波数スキャン要求の間の時間遅延が、内部電源の充電の状態に基づいて増加される。上記で説明したように、幾つかの例では、ＵＥの電力消費量は、ＵＥのＦＳＣＡＮ要求に対する１つ又は複数の変更を通じて調整され得る。例えば、チャネル状態が不十分であるとき、高頻度のＦＳＣＡＮ要求は、かなりの量のバッテリー電力を消費し得る。幾つかの例では、ＵＥ１１５−ａの電力を管理するために、１つ又は複数のＦＳＣＡＮ要求の間の時間遅延が増加され得る。時間遅延は、電源２８５の現在の充電の状態に基づいて、ＵＥ１１５−ａのモデムの１つ又は複数のモデム制御パラメータを調整することによって増加され得る。図２を参照しながら説明したプロセッサモジュール２１０、モデムモジュール２７０、通信管理モジュール２３０及び／又は電力管理モジュール２４０のうちの１つ又は複数が、ＦＳＣＡＮ要求間の時間遅延を制御し得る。幾つかの例では、ＦＳＣＡＮ要求の間の時間遅延は、図３を参照しながら説明したモデムプロセッサモジュール３０５、図４を参照しながら説明したモデムプロセッサモジュール３０５−ａ、図５のプロセッサ５８０、図４を参照しながら説明した省電力モードモジュール４１５、及び／又はアプリケーションプロセッサモジュール４１０のいずれかによって制御され得る。
【００７２】
[0082]図１０は、様々な例による、ワイヤレス通信システムにおいてＵＥによって実行され得る方法１０００を示している。方法１０００は、例えば、図１、２、及び／又は５のＵＥ１１５によって実施され得る。加えて、方法１０００は、それぞれ図２、３、及び／又は４の機器２７０、２７０−ａ及び／又は２７０−ｂによって実行され得る。一例では、ｅＮＢ、ＵＥ、又は機器は、以下で説明する機能を実施するためにｅＮＢ、ＵＥ、又は機器の機能要素を制御するためのコードの１つ又は複数のセットを実行し得る。
【００７３】
[0083]最初、ブロック１００５において、ＵＥの内部電源の現在の充電の状態が決定される。例によれば、図２を参照しながら説明した電力管理モジュール２４０などの電力管理回路が、内部電源２８５の充電の状態を決定するために、ＵＥ１１５−ａの内部電源２８５を調べるように構成され得る。幾つかの例では、図２を参照しながら説明したＵＥ１１５−ａのモデムモジュール２７０は、直接的に又は間接的に電源２８５の充電の状態を調べるように構成され得る。幾つかの例では、電力管理モジュール２４０は電源２８５の充電の状態を調べ、モデムモジュール２７０は、内部電源２８５の現在の充電の状態を決定するために、電力管理モジュール２４０に周期的にポーリングし得る。ＵＥ１１５−ａの内部電源２８５の現在の充電の状態はまた、図３を参照しながら説明したモデムプロセッサモジュール３０５、図４を参照しながら説明したモデムプロセッサモジュール３０５−ａ、及び／又は図５のプロセッサ５８０によって決定され得る。
【００７４】
[0084]ブロック１０１０において、ＵＥのサービスセルの基準信号受信電力（ＲＳＲＰ）が決定される。上述のように、ＵＥ１１５−ａは、１つ又は複数の近隣基地局のチャネル状態を識別するために、近隣探索を周期的に実施し得る。近隣探索要求の一部として、ＵＥ１１５−ａはまた１つ又は複数の測定を行い得る。例えば、ＵＥ１１５−ａは、サービス基地局及び１つ又は複数の近隣基地局の基準信号受信電力（ＲＳＲＰ）を決定し得る。各態様では、サービスセルのＲＳＲＰは、図２を参照しながら説明したプロセッサモジュール２１０、モデムモジュール２７０、通信管理モジュール２３０、及び／又は電力管理モジュール２４０のいずれかによって決定され得る。幾つかの例では、ＲＳＲＰは、図３を参照しながら説明したモデムプロセッサモジュール３０５、図４を参照しながら説明したモデムプロセッサモジュール３０５−ａ、図５のプロセッサ５８０、図４を参照しながら説明した省電力モードモジュール４１５、及び／又はアプリケーションプロセッサモジュール４１０のいずれかによって決定され得る。
【００７５】
[0085]ブロック１０１５において、ＲＳＲＰが所定の閾値と比較される。ＲＳＲＰが所定の閾値よりも大きくない場合、近隣探索要求がＵＥ１１５−ａによって実施される度合いがブロック１０２５において維持される。各態様では、ＲＳＲＰは、図２を参照しながら説明したプロセッサモジュール２１０、モデムモジュール２７０、通信管理モジュール２３０及び／又は電力管理モジュール２４０のいずれかによって、所定の閾値と比較され得る。幾つかの例では、ＲＳＲＰは、図３を参照しながら説明したモデムプロセッサモジュール３０５、図４を参照しながら説明したモデムプロセッサモジュール３０５−ａ、図５のプロセッサ５８０、図４を参照しながら説明した省電力モードモジュール４１５、及び／又はアプリケーションプロセッサモジュール４１０のいずれかによって、所定の閾値と比較され得る。
【００７６】
[0086]しかしながら、ブロック１０１５において、ＲＳＲＰが所定の閾値よりも大きい場合、ブロック１０２０において、近隣探索要求がＵＥ１１５−ａによって実施される度合いが低減される。各態様では、これらの近隣探索要求が実施される度合いは、図２を参照しながら説明したプロセッサモジュール２１０、モデムモジュール２７０、通信管理モジュール２３０及び／又は電力管理モジュール２４０のいずれかによって制御され得る。幾つかの例では、近隣探索要求が実施される度合いは、図３を参照しながら説明したモデムプロセッサモジュール３０５、図４を参照しながら説明したモデムプロセッサモジュール３０５−ａ、図５のプロセッサ５８０、図４を参照しながら説明した省電力モードモジュール４１５、及び／又はアプリケーションプロセッサモジュール４１０のいずれかによって制御され得る。
【００７７】
[0087]図１１は、様々な例による、ワイヤレス通信システムにおいてＵＥによって実行され得る方法１１００を示している。方法１１００は、例えば、図１、２、及び／又は５のＵＥ１１５によって実施され得る。加えて、方法１１００は、それぞれ図２、３、及び／又は４の機器２７０、２７０−ａ及び／又は２７０−ｂによって実行され得る。一例では、ｅＮＢ、ＵＥ、又は機器は、以下で説明する機能を実施するためにｅＮＢ、ＵＥ、又は機器の機能要素を制御するためのコードの１つ又は複数のセットを実行し得る。
【００７８】
[0088]最初、ブロック１１０５において、ＵＥの内部電源の現在の充電の状態が決定される。例によれば、図２を参照しながら説明した電力管理モジュール２４０などの電力管理回路が、内部電源２８５の充電の状態を決定するために、ＵＥ１１５−ａの内部電源２８５を調べるように構成され得る。幾つかの例では、図２を参照しながら説明したＵＥ１１５−ａのモデムモジュール２７０は、直接的に又は間接的に電源２８５の充電の状態を調べるように構成され得る。幾つかの例では、電力管理モジュール２４０は電源２８５の充電の状態を調べ、モデムモジュール２７０は、内部電源２８５の現在の充電の状態を決定するために、電力管理モジュール２４０に周期的にポーリングし得る。ＵＥ１１５−ａの内部電源２８５の現在の充電の状態はまた、図３を参照しながら説明したモデムプロセッサモジュール３０５、図４を参照しながら説明したモデムプロセッサモジュール３０５−ａ、及び／又は図５のプロセッサ５８０によって決定され得る。
【００７９】
[0089]ブロック１１１０において、ＵＥの実際のデータ量の値に対する低減されたデータ量の値を示すＢＳＲパラメータが提供される。そのような動作の結果として、ＵＥに与えられるアップリンクリソース許可が低減されるか、又はＵＥにアップリンクリソース許可が与えられなくなり、それによって電源２８５の寿命が延長される。一態様では、ＢＳＲパラメータは、図２を参照しながら説明したプロセッサモジュール２１０、モデムモジュール２７０、通信管理モジュール２３０、及び／又は電力管理モジュール２４０のいずれかによって制御され得る。幾つかの例では、ＢＳＲパラメータは、図３を参照しながら説明したモデムプロセッサモジュール３０５、図４を参照しながら説明したモデムプロセッサモジュール３０５−ａ、図５のプロセッサ５８０、図４を参照しながら説明した省電力モードモジュール４１５、及び／又はアプリケーションプロセッサモジュール４１０によって制御され得る。
【００８０】
[0090]添付の図面に関して上に記載された発明を実施するための形態は、例示的な実施形態について説明しており、実装され得る又は特許請求の範囲内に入る実施形態のみを表すものではない。本明細書全体にわたって使用される「例示的」という用語は、「例、事例、又は例示としての役割を果たすこと」を意味し、「好ましい」又は「他の実施形態よりも有利である」ことを意味しない。発明を実施するための形態は、説明する技法の理解を与える目的で具体的な詳細を含む。しかしながら、これらの技法は、これらの特定の詳細なしに実践される場合がある。幾つかの事例では、説明した実施形態の概念を不明瞭にすることを回避するために、よく知られている構造及び機器がブロック図の形式で示されている。
【００８１】
[0091]情報及び信号は、多種多様な技術及び技法のいずれかを使用して表され得る。例えば、上記の説明全体にわたって言及され得るデータ、命令、コマンド、情報、信号、ビット、シンボル、及びチップは、電圧、電流、電磁波、磁界若しくは磁性粒子、光場若しくは光学粒子、又はそれらの任意の組合せによって表され得る。
【００８２】
[0092]本明細書の開示に関して説明された様々な例示的なブロック及びモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブル論理機器、個別ゲート若しくはトランジスタ論理、個別ハードウェアコンポーネント、又は本明細書で説明された機能を実行するように設計されたそれらの任意の組合せによって実装又は実行され得る。汎用プロセッサはマイクロプロセッサであり得るが、代替では、プロセッサは任意の従来のプロセッサ、コントローラ、マイクロコントローラ、又はステートマシンであり得る。プロセッサはまた、コンピュータ機器の組合せ、例えば、ＤＳＰとマイクロプロセッサの組合せ、複数のマイクロプロセッサ、ＤＳＰコアと連携する１つ以上のマイクロプロセッサ、又は任意の他のそのような構成として実装され得る。
【００８３】
[0093]本明細書で説明した機能は、ハードウェア、プロセッサによって実行されるソフトウェア、ファームウェア、又はそれらの任意の組合せで実装され得る。プロセッサによって実行されるソフトウェアで実装される場合、機能は、１つ又は複数の命令又はコードとしてコンピュータ可読媒体上に記憶され得、又はコンピュータ可読媒体を介して送信され得る。他の例及び実装形態は、本開示及び添付の特許請求の範囲及び趣旨の中にある。例えば、ソフトウェアの性質により、上記で説明した機能は、プロセッサ、ハードウェア、ファームウェア、ハードワイヤリング、又はこれらのいずれかの組合せによって実行されるソフトウェアを使用して実装され得る。機能を実装する特徴はまた、異なる物理的ロケーションにおいて機能の部分が実装されるように分散されることを含めて、様々な位置に物理的に配置され得る。また、特許請求の範囲を含めて、本明細書で使用される場合、「のうちの少なくとも１つ」で始まる項目の列挙中で使用される「又は」は、例えば、「Ａ、Ｂ、又はＣのうちの少なくとも１つ」の列挙は、Ａ又はＢ又はＣ又はＡＢ又はＡＣ又はＢＣ又はＡＢＣ（即ち、Ａ及びＢ及びＣ）を意味するような選言的列挙を示す。
【００８４】
[0094]コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用又は専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭ又は他の光ディスク記憶装置、磁気ディスク記憶装置若しくは他の磁気記憶装置、又は、命令若しくはデータ構造の形態の所望のプログラムコード手段を搬送又は記憶するために使用され、汎用若しくは専用コンピュータ又は汎用若しくは専用プロセッサによってアクセスされ得る、任意の他の媒体を備え得る。また、任意の接続がコンピュータ可読媒体と適切に呼ばれる。例えば、ソフトウェアが、同軸ケーブル、光ファイバケーブル、ツイストペア、デジタル加入者回線（ＤＳＬ）、又は赤外線、無線、及びマイクロ波などのワイヤレス技術を使用して、ウェブサイト、サーバ、又は他のリモートソースから送信される場合、同軸ケーブル、光ファイバケーブル、ツイストペア、ＤＳＬ、又は赤外線、無線、及びマイクロ波などのワイヤレス技術は媒体の定義に含まれる。本明細書で使用するディスク（disk）及びディスク（disc）は、コンパクトディスク（ＣＤ）と、レーザーディスク（登録商標）と、光ディスクと、デジタル多用途ディスク（ＤＶＤ）と、フロッピー（登録商標）ディスクと、Ｂｌｕ−ｒａｙ（登録商標）ディスクとを含み、ディスク（disk）は通常、データを磁気的に再生し、ディスク（disc）はレーザーを用いてデータを光学的に再生する。上記の組合せも、コンピュータ可読媒体の範囲内に含まれる。
【００８５】
[0095]本開示の前述の説明は、当業者が本開示を作製又は使用することを可能にするために与えられる。本開示に対する様々な修正が当業者には容易に明らかとなり、本明細書において規定された一般原理は、本開示の趣旨又は範囲から逸脱することなく他の変形形態に適用され得る。本開示全体にわたって、「例」又は「例示的」という用語は、一例又は一事例を示すものであり、言及された例についていかなる選好も暗示せず、又は必要としない。従って、本開示は、本明細書で説明した例及び設計に限定されるべきでなく、本明細書で開示した原理及び新規の特徴に一致する最も広い範囲を与えられるべきである。
以下に本願の出願当初の特許請求の範囲に記載された発明を付記する。
[Ｃ１]  ワイヤレス通信ネットワークにおいてユーザ機器（ＵＥ）の電力を管理するための方法であって、
前記ＵＥの内部電源の現在の充電の状態を決定することと、
前記決定することに応答して、前記ＵＥのモデムの１つ以上のモデム制御パラメータを調整することとを備え、前記調整することは、前記モデムによる使用のために利用可能な前記ＵＥの受信チェーンの数の低減を含む、方法。
[Ｃ２]  前記決定することは、前記決定することに応答して、複数の充電状態レベルから前記内部電源の充電状態レベルを識別することを備え、
前記調整することは、前記識別された充電状態レベルに基づいて、前記モデムの省電力モードを選択することを備える、Ｃ１に記載の方法。
[Ｃ３]  前記ＵＥの利用可能な受信チェーンの前記数の前記低減は、
前記ＵＥの最高ランクよりも低い前記ＵＥのランクを通知することを備える、Ｃ１に記載の方法。
[Ｃ４]  １つ以上のモデム制御パラメータを前記調整することは、
前記ＵＥによって実施される近隣探索要求の度合いを低減することを更に備える、Ｃ１に記載の方法。
[Ｃ５]  基準信号受信電力（ＲＳＲＰ）を決定することを更に備え、ここにおいて、近隣探索要求の前記度合いは前記ＲＳＲＰに基づく、Ｃ４に記載の方法。
[Ｃ６]  前記近隣探索要求は、周波数間又は無線アクセス技術間の測定の１つ以上を備える、Ｃ４に記載の方法。
[Ｃ７]  １つ以上のモデム制御パラメータを前記調整することは、
前記ＵＥの実際のデータ量の値に対する低減されたデータ量の値を示すバッファステータス報告（ＢＳＲ）パラメータを提供することを更に備える、Ｃ１に記載の方法。
[Ｃ８]  １つ以上のモデム制御パラメータを前記調整することは、
アップリンクチャネルの最大送信電力レベルを調整することを更に備える、Ｃ１に記載の方法。
[Ｃ９]  １つ以上のモデム制御パラメータを前記調整することは、
前記ＵＥによって実施される１つ以上の周波数スキャン要求の間の時間遅延を増加させることを更に備える、Ｃ１に記載の方法。
[Ｃ１０]  前記時間遅延は、連続する不成功の周波数スキャン要求の数に基づいて増加される、Ｃ９に記載の方法。
[Ｃ１１]  ワイヤレス通信ネットワークにおいてユーザ機器（ＵＥ）の電力を管理するための装置であって、
前記ＵＥの内部電源の現在の充電の状態を決定し、
前記決定することに応答して、前記モデムによる使用のために利用可能な前記ＵＥの受信チェーンの数を低減するために、前記ＵＥのモデムの１つ以上のモデム制御パラメータを調整するように構成された少なくとも１つのプロセッサを備える装置。
[Ｃ１２]  前記少なくとも１つのプロセッサは、
前記決定することに応答して、複数の充電状態レベルから前記内部電源の充電状態レベルを識別し、
前記識別された充電状態レベルに基づいて前記モデムの省電力モードを選択するように更に構成される、Ｃ１１に記載の装置。
[Ｃ１３]  前記少なくとも１つのプロセッサは、
前記ＵＥの最高ランクよりも低い前記ＵＥのランクを通知するように更に構成される、Ｃ１１に記載の装置。
[Ｃ１４]  前記少なくとも１つのプロセッサは、
前記ＵＥによって実施される近隣探索要求の度合いを低減するように更に構成される、Ｃ１１に記載の装置。
[Ｃ１５]  前記少なくとも１つのプロセッサは、
基準信号受信電力（ＲＳＲＰ）を決定するように更に構成され、近隣探索要求の前記度合いは前記ＲＳＲＰに基づく、Ｃ１４に記載の装置。
[Ｃ１６]  前記近隣探索要求は、周波数間又は無線アクセス技術間の測定の１つ以上を備える、Ｃ１４に記載の装置。
[Ｃ１７]  前記少なくとも１つのプロセッサは、
前記ＵＥの実際のデータ量の値に対する低減されたデータ量の値を示すバッファステータス報告（ＢＳＲ）パラメータを提供するように更に構成される、Ｃ１１に記載の装置。
[Ｃ１８]  前記少なくとも１つのプロセッサは、
アップリンクチャネルの最大送信電力レベルを調整するように更に構成される、Ｃ１１に記載の装置。
[Ｃ１９]  前記少なくとも１つのプロセッサは、
前記ＵＥによって実施される１つ以上の周波数スキャン要求の間の時間遅延を増加させるように更に構成される、Ｃ１１に記載の装置。
[Ｃ２０]  前記時間遅延は、連続する不成功の周波数スキャン要求の数に基づいて増加される、Ｃ１９に記載の装置。
[Ｃ２１]  ワイヤレス通信ネットワークにおいてユーザ機器（ＵＥ）の電力を管理するための装置であって、
前記ＵＥの内部電源の現在の充電の状態を決定するための手段と、
前記決定することに応答して、前記モデムによる使用のために利用可能な前記ＵＥの受信チェーンの数を低減するために、前記ＵＥのモデムの１つ以上のモデム制御パラメータを調整するための手段とを備える装置。
[Ｃ２２]  決定するための前記手段は、前記決定することに応答して、複数の充電状態レベルから前記内部電源の充電状態レベルを識別するための手段を備え、
調整するための前記手段は、前記識別された充電状態レベルに基づいて、前記モデムの省電力モードを選択するための手段を備える、Ｃ２１に記載の装置。
[Ｃ２３]  調整するための前記手段は、前記ＵＥの最高ランクよりも低い前記ＵＥのランクを通知するための手段を含む、Ｃ２１に記載の装置。
[Ｃ２４]  １つ以上のモデム制御パラメータを調整するための前記手段は、前記ＵＥによって実施される近隣探索要求の度合いを低減するための手段を備える、Ｃ２１に記載の装置。
[Ｃ２５]  １つ以上のモデム制御パラメータを調整するための前記手段は、前記ＵＥの実際のデータ量の値に対する低減されたデータ量の値を示すバッファステータス報告（ＢＳＲ）パラメータを提供するための手段を含むか、
１つ以上のモデム制御パラメータを調整するための前記手段は、前記ＵＥによって実施される１つ以上の周波数スキャン要求の間の時間遅延を増加させるための手段を含むかの少なくとも１つである、Ｃ２１に記載の装置。
[Ｃ２６]  ワイヤレス通信ネットワークにおいてユーザ機器（ＵＥ）の電力を管理するためのコンピュータプログラム製品であって、
前記ＵＥの内部電源の現在の充電の状態を決定し、
前記決定することに応答して、前記モデムによる使用のために利用可能な前記ＵＥの受信チェーンの数を低減するために、前記ＵＥのモデムの１つ以上のモデム制御パラメータを調整するように、プロセッサによって実行可能な命令を記憶する非一時的コンピュータ可読媒体を備えるコンピュータプログラム製品。
[Ｃ２７]  前記命令は、前記プロセッサによって、前記決定することに応答して複数の充電状態レベルから前記内部電源の充電状態レベルを識別し、前記識別された充電状態レベルに基づいて前記モデムの省電力モードを選択するように更に実行可能である、Ｃ２６に記載のコンピュータプログラム製品。
[Ｃ２８]  前記ＵＥの利用可能な受信チェーンの前記数の前記低減は、前記ＵＥの最高ランクよりも低い前記ＵＥのランクを通知することを備える、Ｃ２６に記載のコンピュータプログラム製品。
[Ｃ２９]  前記命令は、前記プロセッサによって、前記ＵＥによって実施される近隣探索要求の度合いを低減するように更に実行可能である、Ｃ２６に記載のコンピュータプログラム製品。
[Ｃ３０]  前記命令は、前記プロセッサによって、前記ＵＥの実際のデータ量の値に対する低減されたデータ量の値を示すバッファステータス報告（ＢＳＲ）パラメータを提供するように、更に実行可能であるか、
前記命令は、前記プロセッサによって、前記ＵＥによって実施される１つ以上の周波数スキャン要求の間の時間遅延を増加させるように更に実行可能であるかの少なくとも一方である、Ｃ２６に記載のコンピュータプログラム製品。
【図１】
0006370917.tif 000002
【図２】
0006370917.tif 000003
【図３】
0006370917.tif 000004
【図４】
0006370917.tif 000005
【図５】
0006370917.tif 000006
【図６】
0006370917.tif 000007
【図７】
0006370917.tif 000008
【図８】
0006370917.tif 000009
【図９】
0006370917.tif 000010
【図１０】
0006370917.tif 000011
【図１１】
0006370917.tif 000012